(57)【要約】  封止材を用いた光通信モジュールの封止構造においては、光ファイバの特性に影響を及ぼすことなく信頼性を確保することが困難である。本発明の光通信モジュールの封止構造は、パッケージに固設された円筒形の鏡筒部と、鏡筒部の内部に配置し、光ファイバが貫通する円柱状のフランジと、鏡筒部とフランジとの間に配置した封止材とを含み、フランジはその表面に表面状態が異なる複数の領域を備え、封止材は領域の一箇所にのみ配置している。
2015072131.tif 000002
【特許請求の範囲】
【請求項１】
パッケージに固設された円筒形の鏡筒部と、
前記鏡筒部の内部に配置し、光ファイバが貫通する円柱状のフランジと、
前記鏡筒部と前記フランジとの間に配置した封止材と、
を含み、
前記フランジは、前記フランジの表面に表面状態が異なる複数の領域を備え、前記封止材は前記領域の一箇所にのみ配置している
ことを特徴とする光通信モジュールの封止構造。
【請求項２】
前記表面状態は、未硬化状態の前記封止材に対して濡れ性が異なる
ことを特徴とする請求項１に記載の光通信モジュールの封止構造。
【請求項３】
前記濡れ性が異なる領域は、前記フランジの半径が異なる外周面にそれぞれ配置し、
前記半径が小さい溝部の濡れ性は悪く、該溝部以外のフランジ表面の濡れ性は良好である
ことを特徴とする請求項２に記載の光通信モジュールの封止構造。
【請求項４】
前記濡れ性が異なる領域は、前記フランジの一の片側全部に設けた段差であり、
該段差部の濡れ性は悪く、該段差部以外のフランジ表面の濡れ性は良好である
ことを特徴とする請求項２に記載の光通信モジュールの封止構造。
【請求項５】
前記濡れ性が異なる領域の一方は、メッキ処理された表面を有し、他方はメッキ処理されていない表面を有し、
該メッキ処理されていない表面の濡れ性は悪く、該メッキ処理された表面の濡れ性は良好である
ことを特徴とする請求項２に記載の光通信モジュールの封止構造。
【請求項６】
前記濡れ性が異なる領域は、メッキ処理された前記フランジの一の片側全部に設けた非メッキ部分であり、
該非メッキ部の濡れ性は悪く、該メッキ処理された表面の濡れ性は良好である
ことを特徴とする請求項２に記載の光通信モジュールの封止構造。
【請求項７】
前記封止材は半田である
ことを特徴とする請求項１乃至６のいずれか一項に記載の光通信モジュールの封止構造。
【請求項８】
前記光ファイバは金属被覆が施されている
ことを特徴とする請求項１乃至７のいずれか一項に記載の光通信モジュールの封止構造。
【請求項９】
前記光ファイバはアレイ状である
ことを特徴とする請求項１乃至８のいずれか一項に記載の光通信モジュールの封止構造。
【請求項１０】
パッケージに円筒形の鏡筒部を設け、
光ファイバが貫通する円柱状のフランジを前記鏡筒部に挿入し、
前記鏡筒部と前記フランジとの間に溶融した封止材を充填し、
前記フランジの外周面のうち表面状態が異なる複数の領域の一にのみ、前記溶融した封止材を配置し、
その状態で硬化させる
ことを特徴とする光通信モジュールの封止方法。
【発明の詳細な説明】
【技術分野】
【０００１】
本発明は、光通信モジュールの封止構造およびその封止方法に関し、特に半田封止を用いた光通信モジュールの封止構造およびその封止方法に関する。
【背景技術】
【０００２】
近年の通信トラフィックの増加に伴って、通信における伝送容量の拡大の必要性が増している。とりわけ、光を用いた光通信ネットワークシステムによる伝送容量の拡大が期待されている。その光通信ネットワークシステムにおいては、光信号の送信や受信を行うモジュールがキーデバイスとなる。光通信用のモジュールには、システムの高速・大容量化に伴って、高速化や小型化などが求められる。【０００３】
一般的に、光通信用の受光モジュールは、次のような部品から構成される。光信号を伝送する光ファイバ、伝送路から送られてきた光信号を光-電気変換するＰＤ（Photo Diode）、その電流信号をインピーダンス変換し、増幅し、そして電圧信号として出力するＴＩＡ（Trans Impedance Amplifier）等である。これらの部品が、セラミック製のパッケージ等に搭載され、モジュール化される。モジュール化の際、これらの部品をパッケージ内に気密を保って封止することが、光通信モジュールの信頼性を確保するうえで重要となる。【０００４】
光ファイバをパッケージ内に導入する部分にも、光通信モジュールの信頼性を確保するため、種々の気密封止の工夫がなされている。このような光通信用パッケージに光ファイバを搭載してモジュール化する例が、例えば、特許文献１に記載されている。【０００５】
特許文献１に記載の筒状部材内周面のめっき方法は、光通信用パッケージに設けられた筒状部材（導入パイプ）の内周面を部分的にめっきするとしている。より具体的には、導入パイプの内周面のめっき不要部分をマスキングした状態で、導入パイプの内周面の露出部分をめっきするとしている。この方法によれば、溶融した半田を使って、光ファイバを導入パイプ部分に固着する際、溶融した半田がパッケージ内に流れ込まない作用があるとしている。その結果、導入パイプのシール部分における半田の量が少なくなってシール性が低下したり、パッケージ内に流入した半田によって信頼性を低下したりすることを回避できるとしている。【０００６】
また、特許文献２に記載の光ファイバアセンブリおよびそれに用いられるスリーブは、光ファイバを光通信モジュールに接続するための光ファイバアセンブリ、および光ファイバ芯線に取り付けたスリーブである。光通信用パッケージに相当するハウジングに、挿入孔を設け、光ファイバアセンブリを挿入し、ハウジングとスリーブとを半田で固定するとしている。特許文献３では、絶縁基板とベース基板とを半田により接合することが提案されている。【０００７】
さらに、光通信の高速・大容量化のため、通信用チャネルを多数設ける多チャンネル化が進んでいる。例えば、４０Ｇｂｐｓの容量を実現するために、１０Ｇｂｐｓの容量を４チャネル分設けた構成などが開発されている。そのような多チャンネル化の技術潮流に伴い、光通信モジュールの内部も多チャンネル化する研究開発が行われている。例えば、光信号を伝搬する光ファイバを多チャンネル化し、光ファイバを整列させた光ファイバアレイを用いた構成、また、パッケージ内部に光ファイバアレイを搭載した構成、などが挙げられる。
【先行技術文献】
【特許文献】
【０００８】
【特許文献１】特開平１０−２５１８８９号公報
【特許文献２】特開２０１０−９１９２３号公報
【特許文献３】特開２００１−１６８４９２号公報
【発明の概要】
【発明が解決しようとする課題】
【０００９】
しかしながら、特許文献１に記載の筒状部材内周面のめっき方法には次のような問題があった。この方法は、筒状部の内周部に流れ込みを防止する構造を設けるため、筒状部を含むパッケージの製造や加工が複雑となる。そして、光ファイバを貫通させたキャップを筒状部に半田で固定する構造としている。そのため、光ファイバも半田で直接固定され、光ファイバに応力が付与されて光ファイバの偏光特性の劣化が発生する恐れがあった。特に、偏波保持光ファイバにおいては偏波特性の影響が顕著であった。【００１０】
一方、特許文献２に記載の光ファイバアセンブリおよびそれに用いられるスリーブでは、光ファイバがスリーブ内に埋没しており、半田で直接固定されない構造である。しかしながら、この構造には次のような問題があった。ハウジングの一部に設けた挿入孔に、光ファイバに取り付けたスリーブを半田で固着する場所は、挿入孔が設けられたハウジング表面の一部に限られていた。つまり、半田固着する長さ（リークパスに相当）が、短かった。そのため、長期的な気密性を確保することが困難であった。【００１１】
以上のように、特許文献１および特許文献２に記載の関連する光通信モジュールの封止構造およびその封止方法では、光ファイバの特性に影響を及ぼすことなく、かつ、気密性を確保するためのリークパスを長く確保することが困難であった。総じて、信頼性の確保が困難という問題があった。【００１２】
本発明の目的は、封止材を用いた光通信モジュールの封止構造においては、光ファイバの特性に影響を及ぼすことなく信頼性を確保することが困難である、という上述した課題を解決する光通信モジュールの封止構造および封止方法を提供することにある。
【課題を解決するための手段】
【００１３】
本発明の光通信モジュールの封止構造は、パッケージに固設された円筒形の鏡筒部と、上記鏡筒部の内部に配置し、光ファイバが貫通する円柱状のフランジと、上記鏡筒部と上記フランジとの間に配置した封止材とを含み、上記フランジはその表面に表面状態が異なる複数の領域を備え、上記封止材は上記領域の一箇所にのみ配置している。【００１４】
本発明の光通信モジュールの封止方法は、パッケージに円筒形の鏡筒部を設け、光ファイバが貫通する円柱状のフランジを上記鏡筒部に挿入し、上記鏡筒部と上記フランジとの間に溶融した封止材を充填し、上記フランジの外周面のうち表面状態が異なる複数の領域の一にのみ溶融した上記封止材を配置し、その状態で硬化させる。
【発明の効果】
【００１５】
本発明の光通信モジュールの封止構造および封止方法によれば、光ファイバの特性に影響を及ぼすことなく信頼性を向上させることができる。
【図面の簡単な説明】
【００１６】
【図１】（ａ）は本発明の第１の実施形態にかかる光通信モジュールの上面図であり、（ｂ）は本発明の第１の実施形態にかかる光通信モジュールの側面図である。
【図２】（ａ）は本発明の第１の実施形態にかかる光通信モジュールの封止構造の構成を示す断面図であり、（ｂ）および（ｃ）はこれに用いられる光ファイバアレイを説明するための側面図である。
【図３】（ａ）は本発明の第２の実施形態にかかる光通信モジュールの封止構造の構成を示す断面図であり、（ｂ）はこれに用いられる光ファイバアレイの側面図である。
【図４】（ａ）は本発明の第３の実施形態にかかる光通信モジュールの封止構造の構成を示す断面図であり、（ｂ）はこれに用いられる光ファイバアレイの側面図である。
【図５】（ａ）は本発明の第４の実施形態にかかる光通信モジュールの封止構造の構成を示す断面図であり、（ｂ）はこれに用いられる光ファイバアレイの側面図である。
【図６】図６は、関連するフランジを用いた光通信モジュールの封止構造の構成を示す断面図である。
【発明を実施するための形態】
【００１７】
次に、本発明を実施するための形態について図面を参照して説明する。なお、以下の説明では、同じ機能を有するものには同じ符号をつけ、その説明を省略する場合がある。
【００１８】
（第１の実施形態）
図１は、本発明の第１の実施形態にかかる光通信モジュールの全体の構成を示す図であり、図１（ａ）は上面図、図１（ｂ）は側面図である。次に挙げるような部品群から構成される。
【００１９】
すなわち、本実施形態の光通信モジュールは、信号光と局発光をパッケージ内に入射するための光ファイバアレイ１と、入射光をコリメートするためのレンズ２−１と、を含む。さらに本実施形態の光通信モジュールは、信号光のＴＥ（Transverse Electric Wave）偏光成分およびＴＭ（Transverse Magnetic Wave）偏光成分を分岐するためのＰＢＳ（偏光ビームスプリッタ：Polarization Beam Splitter）３を含む。さらに本実施形態の光通信モジュールは、コヒーレントミキサー機能を持つＰＬＣ（Planar Lightwave Circuit）４と、コリメート光をＰＬＣ４へ集光するレンズ２−２と、金属キャリア１１と、を含む。さらに本実施形態の光通信モジュールは、干渉信号を光-電気変換するＰＤ（光ダイオード：Photo Diode）５と、ＰＤ５の電流信号をインピーダンス変換し、増幅し、そして電圧信号として出力するＴＩＡ６と、を含む。さらに本実施形態の光通信モジュールは、配線基板７と、基板キャリア８と、ＰＬＣ４から出射された干渉光をコリメートするレンズ２−３と、光路変更して干渉光をＰＤ５へ結合するレンズつきプリズム９と、を含む。さらに本実施形態の光通信モジュールは、これら要素を収納するセラミックパッケージ１０を含む。これらの部品によって、デジタルコヒーレントレシーバモジュールとして機能する光通信モジュール１００が構成される。
【００２０】
この光通信モジュール１００は、受光モジュールであり、次のような動作を行う。コヒーレントミキサー内部にある光学干渉計の前段において、受信した信号光のＴＥ成分とＴＭ成分を分岐する。そして、局部発振光と遅延干渉させて、２対×４の８ポート分の出力を得て、信号復調を行う。光入力部は、パッケージを小型にしつつ信号光と局発光の２ポート分の光入力を行うため、光ファイバを整列させた光ファイバアレイ１を用いる。そして、光ファイバアレイ１をセラミックパッケージ１０の内部へ実装するため、セラミックパッケージ１０に固設された円筒形の鏡筒部２０（図２（ａ）参照）には封止用窓はない。
【００２１】
そのため、封止用窓による目視確認に頼らず、半田２３（図２（ａ）参照）が均一に充填されるような封止環境を、光ファイバアレイ１に被せた封止用フランジ２１と鏡筒部２０の内周部に実現する。封止用フランジ２１には、例えば、金属を用いる。また、光ファイバアレイ１の一部には、金属被覆（金メッキ）が施されている。封止用フランジ２１と鏡筒部２０の内面を金メッキし、溶融した半田２３が濡れ性をもって金メッキ表面上を流れるようにする。そして、半田の量、局所加熱の温度、時間などの溶融時間の最適化によって、半田２３が封止用フランジ２１と鏡筒部２０の間隙内全体に均一に充填される。さらに、フランジ２１の表面に、半田の流れを止める所定の構造を設ける。これによって、光ファイバの芯線部分まで、半田が流れ着くことを防止する効果を奏する。加えて、半田２３が封止用フランジ２１と鏡筒部２０の間隙内にとどまり、半田で確実に封止できる効果を奏する。続いて、半田の流れを止める所定の構造について、具体的に説明していく。
【００２２】
図２（ａ）は本実施形態にかかる光通信モジュールの封止構造としての鏡筒部２０の断面図であり、図２（ｂ）および図２（ｃ）はこれに用いられる光ファイバアレイを説明するための側面図である。本実施形態では、光ファイバアレイ１に被せた封止用フランジ２１の表面に、図２（ａ）および図２（ｃ）に示すような、部分溝加工の半田流れ止め構造２２ａを備える。
【００２３】
図２（ｃ）に示される半田流れ止め構造２２ａを備える光ファイバアレイ１は、例えば、次のようにして用意することができる。まず、図２（ｂ）に示されるような、封止用フランジ２１を被せた光ファイバアレイ１を用意する。ここで、図２（ｂ）の封止用フランジ２１の全面は金メッキされている。次に、封止用フランジ２１の途中に部分溝加工を施して、図２（ｃ）に示されるような、半田流れ止め構造２２ａを備える光ファイバアレイ１が形成される。
【００２４】
部分溝加工を施された封止用フランジ２１の表面部分は、金メッキ層が存在しない。そのため、封止用フランジ２１の表面上において、半田の濡れ性に不連続点が生じる。このような構造を採用することにより、溶融して未硬化状態の半田２３は、封止用フランジ２１の部分溝加工の半田流れ止め構造２２ａには流入しない。
【００２５】
以上のように、金メッキがない溝部の手前で半田２３がとどまることで封止用フランジ２１と鏡筒部２０との間隙に半田２３を効率的に充填することができる。これによって、光ファイバの芯線部分まで、半田が到達することを防止する効果を奏する。加えて、半田２３が封止用フランジ２１と鏡筒部２０の間隙内にとどまり、半田で確実に封止できる効果を奏する。
【００２６】
ここで、関連する光通信モジュールの封止構造に対する、本実施形態の効果を検証する。図６は、光ファイバに全面を金メッキした円筒状のフランジを設けて、この封止用フランジ表面とパッケージ鏡筒の内周面とを半田で接合する関連する光通信モジュールの封止構造を示す。このような単純な円筒状のフランジ構造では、光通信モジュール内部が確実に封止環境になっていない場合、信頼性を確保することが困難である。その理由の詳細は、次のとおりである。
【００２７】
鏡筒部に窓構造を設けていない場合（光ファイバアレイをパッケージ内部に搭載する場合など）、パッケージ鏡筒内を目視確認することができない。この場合、鏡筒内部に封止材が均一に充填されているか、確実に封止されているか、などが判断できない。そうすると、仮に半田量が多いと、メタルファイバ表面１ａまで半田が流れ込み特性悪化を招く場合がある。その一方で、仮に半田量が少ないと、封止用フランジとパッケージ間に半田が十分に回りこまずに、空隙が生じて不良（リーク発生）となる場合がある。一方、本実施形態にかかる光通信モジュールの封止構造では、上述したように、鏡筒部に窓構造を設けていない場合であっても、封止用フランジとセラミックパッケージ鏡筒間に適量の半田を均一に充填させることができる。このように、光ファイバの特性に影響を及ぼすことなく信頼性を向上させることができる。
【００２８】
（第２の実施形態）
図３（ａ）は本発明の第２の実施形態にかかる光通信モジュールの封止構造の構成を示す断面図であり、図３（ｂ）はこれに用いられる光ファイバアレイの側面図である。図３（ａ）に示す構成と図２（ａ）に示す構成との差異は、溝加工する領域の相違にある。その他の構成は同一である。
【００２９】
本実施形態では、光ファイバアレイ１に被せた封止用フランジ２１の表面に、図３（ａ）および図３（ｂ）に示すような、片側溝加工の半田流れ止め構造２２ｂがある。図３（ｂ）に示される半田流れ止め構造２２ｂを備える光ファイバアレイ１は、図２（ｂ）に示されるような、光ファイバアレイ１に被せた封止用フランジ２１の片側全面に部分溝加工を施して形成される。
【００３０】
図３（ｂ）に示される半田流れ止め構造２２ｂを備える光ファイバアレイ１は、例えば、次のようにして用意することができる。まず、第１の実施形態の図２（ｂ）に示されるような、封止用フランジ２１を被せた光ファイバアレイ１を用意する。ここで、図２（ｂ）の封止用フランジ２１の全面は金メッキされている。次に、封止用フランジ２１の片側の全面に溝加工を施して、図３（ｂ）に示されるような、半田流れ止め構造２２ｂを備える光ファイバアレイ１が形成される。本実施形態の封止用フランジ２１の片側とは、鏡筒部２０に挿入される封止用フランジ２１の先端部分の側を指す。
【００３１】
片側の全面に溝加工をした封止用フランジ２１の表面部分には、金メッキ層が存在しない。そのため、封止用フランジ２１の表面上において、半田の濡れ性に不連続点が生じる。このような構造を採用することにより、溶融して未硬化状態の半田２３は、封止用フランジ２１の片側溝加工の半田流れ止め構造２２ｂには流入しない。
【００３２】
以上のように、金メッキがない片側全面溝の手前で半田２３がとどまることで封止用フランジ２１と鏡筒部２０との間隙に半田２３を効率的に充填することができる。これによって、光ファイバの芯線部分まで、半田が流れ着くことを防止する効果を奏する。加えて、半田２３が封止用フランジ２１と鏡筒部２０の間隙内にとどまり、半田で確実に封止できる効果を奏する。このように、光ファイバの特性に影響を及ぼすことなく信頼性を向上させることができる。
【００３３】
（第３の実施形態）
図４（ａ）および図５（ａ）は、本発明の第３の実施形態にかかる光通信モジュールの封止構造の構成を示す図であり、図４（ｂ）および図５（ｂ）はこれに用いられる光ファイバアレイの側面図である。図４（ａ）および図５（ａ）に示す構成と図２（ａ）に示す構成との差異は、表面メッキ層のみを除去するか否かにある。その他の構成は同一である。
【００３４】
図４（ａ）および図４（ｂ）に示される、本実施形態による光通信モジュールの封止構造では、光ファイバアレイ１に被せた封止用フランジ２１の表面に、部分的に表面メッキ層が存在しない半田流れ止め構造２２ｃを備える。図５（ａ）および図５（ｂ）に示される、本実施形態による光通信モジュールの封止構造では、光ファイバアレイ１に被せた封止用フランジ２１の表面に、片側の全面に表面メッキ層が存在しない半田流れ止め構造２２ｄを備える。
【００３５】
図４（ｂ）に示される半田流れ止め構造２２ｃを備える光ファイバアレイ１は、例えば、次のようにして用意することができる。まず、第１の実施形態の図２（ｂ）に示されるような、封止用フランジ２１を被せた光ファイバアレイ１を用意する。ここで、図２（ｂ）の封止用フランジ２１の全面は金メッキされている。次に、封止用フランジ２１の途中の金メッキ層を除去して、図４（ｂ）に示されるような、半田流れ止め構造２２ｃを備える光ファイバアレイ１が形成される。
【００３６】
図５（ｂ）に示される半田流れ止め構造２２ｄを備える光ファイバアレイ１は、例えば、次のようにして用意することができる。まず、第１の実施形態の図２（ｂ）に示されるような、封止用フランジ２１を被せた光ファイバアレイ１を用意する。ここで、図２（ｂ）の封止用フランジ２１の全面は金メッキされている。次に、封止用フランジ２１の片側の表面の金メッキ層を除去して、図５（ｂ）に示されるような、半田流れ止め構造２２ｄを備える光ファイバアレイ１が形成される。
【００３７】
本実施形態による光通信モジュールの封止構造は、部分的に表面メッキ層が存在しない半田流れ止め構造２２ｃおよび片側の全面に表面メッキ層が存在しない半田流れ止め構造２２ｄを備える。すなわち、部分表面メッキ無しの半田流れ止め構造２２ｃおよび片側表面メッキ無しの半田流れ止め構造２２ｄの表面部分では、金メッキ層が存在しない。そのため、封止用フランジ２１の表面上において、半田の濡れ性に不連続点が生じる。このような構造を採用することにより、溶融して未硬化状態の半田２３は、封止用フランジ２１の部分表面メッキ無しの半田流れ止め構造２２ｃおよび片側表面メッキ無しの半田流れ止め構造２２ｄには流入しない。
【００３８】
以上のように、部分的および片側全面に金メッキがない箇所の手前で半田２３がとどまることで封止用フランジ２１と鏡筒部２０との間隙に半田２３を効率的に充填することができる。これによって、光ファイバの芯線部分まで、半田が到達することを防止する効果を奏する。加えて、半田２３が封止用フランジ２１と鏡筒部２０の間隙内にとどまり、半田で確実に封止できる効果を奏する。このように、光ファイバの特性に影響を及ぼすことなく信頼性を向上させることができる。
【００３９】
なお、封止する部材は半田に限らない。樹脂などを用いてもよい。また、ファイバ芯線部の金メッキ処理は必須ではない。本願発明の構造においては、この部分にまで半田が流入しないからである。また、光ファイバは、二芯の光ファイバアレイの他、多芯の光ファイバアレイにも適用可能である。
【００４０】
本発明は上記実施形態に限定されることなく、請求の範囲に記載した発明の範囲内で、種々の変形が可能である。そして、これらも本発明の範囲内に含まれることはいうまでもない。
【００４１】
例えば、本明細書で「フランジ表面の濡れ性が異なる」とは、相対的なものであり絶対的なものを示すものではない。
【００４２】
上記の実施形態の一部又は全部は、以下の付記のようにも記載されうるが、以下には限られない。
（付記１）パッケージに固設された円筒形の鏡筒部と、
前記鏡筒部の内部に配置し、光ファイバが貫通する円柱状のフランジと、
前記鏡筒部と前記フランジとの間に配置した封止材と、
を含み、
前記フランジは、前記フランジの表面に表面状態が異なる複数の領域を備え、前記封止材は前記領域の一箇所にのみ配置している
ことを特徴とする光通信モジュールの封止構造。
（付記２）前記表面状態は、未硬化状態の前記封止材に対して濡れ性が異なる
ことを特徴とする付記１に記載の光通信モジュールの封止構造。
（付記３）前記濡れ性が異なる領域は、前記フランジの半径が異なる外周面にそれぞれ配置し、
前記半径が小さい溝部の濡れ性は悪く、該溝部以外のフランジ表面の濡れ性は良好である
ことを特徴とする付記２に記載の光通信モジュールの封止構造。
（付記４）前記濡れ性が異なる領域は、前記フランジの一の片側全部に設けた段差であり、
該段差部の濡れ性は悪く、該段差部以外のフランジ表面の濡れ性は良好である
ことを特徴とする付記２に記載の光通信モジュールの封止構造。
（付記５）前記濡れ性が異なる領域の一方は、メッキ処理された表面を有し、他方はメッキ処理されていない表面を有し、
該メッキ処理されていない表面の濡れ性は悪く、該メッキ処理された表面の濡れ性は良好である
ことを特徴とする付記２に記載の光通信モジュールの封止構造。
（付記６）前記濡れ性が異なる領域は、メッキ処理された前記フランジの一の片側全部に設けた非メッキ部分であり、
該非メッキ部の濡れ性は悪く、該メッキ処理された表面の濡れ性は良好である
ことを特徴とする付記２に記載の光通信モジュールの封止構造。
（付記７）前記フランジの外周面に溝部が形成されており、
前記溝部の濡れ性は、前記溝部以外のフランジ表面の濡れ性より低い
ことを特徴とする付記２に記載の光通信モジュールの封止構造。
（付記８）前記フランジの前記溝部は、フランジの両端部を除く中間部分に設けられている
ことを特徴とする付記７に記載の光通信モジュールの封止構造。
（付記９）前記フランジの前記溝部は、フランジの一の片側全部に設けられている
ことを特徴とする付記７に記載の光通信モジュールの封止構造。
（付記１０）前記濡れ性が異なる領域の一方は、メッキ処理された表面を有し、他方はメッキ処理されていない表面を有し、
該メッキ処理されていない表面の濡れ性は、該メッキ処理された表面の濡れ性より低い
ことを特徴とする付記２に記載の光通信モジュールの封止構造。
（付記１１）前記濡れ性が異なる領域の一方は、メッキ処理された表面を有し、他方は前記フランジの一の片側全部に設けられた非メッキ部であり、
該非メッキ部の濡れ性は該メッキ処理された表面の濡れ性より低い
ことを特徴とする付記２に記載の光通信モジュールの封止構造。
（付記１２）前記封止材は半田である
ことを特徴とする付記１乃至１１のいずれか一つに記載の光通信モジュールの封止構造。
（付記１３）前記光ファイバは金属被覆が施されている
ことを特徴とする付記１乃至１２のいずれか一つに記載の光通信モジュールの封止構造。
（付記１４）前記光ファイバはアレイ状である
ことを特徴とする付記１乃至１３のいずれか一つに記載の光通信モジュールの封止構造。
（付記１５）パッケージに円筒形の鏡筒部を設け、
光ファイバが貫通する円柱状のフランジを前記鏡筒部に挿入し、
前記鏡筒部と前記フランジとの間に溶融した封止材を充填し、
前記フランジの外周面のうち表面状態が異なる複数の領域の一にのみ、前記溶融した封止材を配置し、
その状態で硬化させる
ことを特徴とする光通信モジュールの封止方法。
（付記１６）外周面に溝部が形成された前記フランジを用意して、前記フランジを前記鏡筒部に挿入し、
前記封止材を硬化させる
ことを特徴とする付記１５に記載の光通信モジュールの封止方法。
（付記１７）両端部を除く中間部分の、前記外周面に前記溝部が形成された前記フランジを用意して、前記フランジを前記鏡筒部に挿入し、
前記封止材を硬化させる
ことを特徴とする付記１６に記載の光通信モジュールの封止方法。
（付記１８）前記フランジの一の片側全部の、前記外周面に前記溝部が形成された前記フランジを用意して、前記フランジを前記鏡筒部に挿入し、
前記封止材を硬化させる
ことを特徴とする付記１６に記載の光通信モジュールの封止方法。
（付記１９）中間部分を除いて前記外周面がメッキ処理された前記フランジを用意して、前記フランジを前記鏡筒部に挿入し、
前記封止材を硬化させる
ことを特徴とする付記１５に記載の光通信モジュールの封止方法。
（付記２０）一の片側全部を除いて前記外周面がメッキ処理された前記フランジを用意して、前記フランジを前記鏡筒部に挿入し、
前記封止材を硬化させる
ことを特徴とする付記１５に記載の光通信モジュールの封止方法。
【００４３】
この出願は、２０１３年１１月１５日に出願された日本出願特願２０１３−２３６６４２号を基礎とする優先権を主張し、その開示の全てをここに取り込む。
【符号の説明】
【００４４】
１    光ファイバアレイ
１ａ    メタルファイバ表面
２−１、２−２、２−３    レンズ
３    ＰＢＳ
４    ＰＬＣ
５    ＰＤ
６    ＴＩＡ
７    配線基板
８    基板キャリア
９    プリズム
１０    セラミックパッケージ
１１    金属キャリア
２０    鏡筒部
２１    封止用フランジ
２２ａ    部分溝加工の半田流れ止め構造
２２ｂ    片側溝加工半田流れ止め構造
２２ｃ    部分表面メッキ無しの半田流れ止め構造
２２ｄ    片側表面メッキ無しの半田流れ止め構造
２３    半田
１００    光通信モジュール
【図１】
2015072131.tif 000003
【図２】
2015072131.tif 000004
【図３】
2015072131.tif 000005
【図４】
2015072131.tif 000006
【図５】
2015072131.tif 000007
【図６】
2015072131.tif 000008
【国際調査報告】
2015072131.tif 000009
2015072131.tif 000010
2015072131.tif 000011
2015072131.tif 000012